(57)【要約】【課題】薬剤を含む混合水と原水とを確実に切り換えることができるシャワー装置を提供する。【解決手段】薬剤を収容した薬剤収容部７と、水がこの薬剤収容部７を通過せずに散水口５へ流れる原水流路８と、水がこの原水流路８から分岐し薬剤収容部７の内部を通過して薬剤を溶出させ、原水流路８へ合流する混合水流路９とを形成したシャワー装置１において、薬剤収容部７の上流側の混合水流路を開閉する収容部上流弁１１、１２と、薬剤収容部の下流側の上記混合水流路を開閉する収容部下流弁１７、１８とを設け、収容部上流弁と収容部下流弁とが、１つの操作部材１０の動作に連動して混合水流路９を開閉することを特徴とする。【選択図】図１
2014188041.tif 000002
【特許請求の範囲】
【請求項１】
薬剤を収容した薬剤収容部と、水がこの薬剤収容部を通過せずに散水口へ流れる原水流路と、水がこの原水流路から分岐し上記薬剤収容部の内部を通過して薬剤を溶出させ、上記原水流路へ合流する混合水流路とを形成するとともに、
上記薬剤収容部の上流側の上記混合水流路を開閉する収容部上流弁と、上記薬剤収容部の下流側の上記混合水流路を開閉する収容部下流弁とを設け、
上記収容部上流弁と上記収容部下流弁とが、１つの操作部材の動作に連動して上記混合水流路を開閉することを特徴とするシャワー装置。
【請求項２】
上記操作部材が、上記収容部上流弁と上記収容部下流弁との両方が弁開である位置から上記収容部上流弁と上記収容部下流弁との両方が弁閉である位置まで移行する間に、上記収容部上流弁が弁閉であるとともに上記収容部下流弁が弁開である位置を設けたことを特徴とする請求項１記載のシャワー装置。
【請求項３】
上記操作部材が、上記収容部上流弁が弁閉であるとともに上記収容部下流弁が弁開である位置から上記収容部上流弁と上記収容部下流弁との両方が弁閉となる位置まで移行するのに連動して、上記収容部下流弁の開放度が徐々に減少することを特徴とする請求項２記載のシャワー装置。
【請求項４】
薬剤を収容した薬剤収容部と、水がこの薬剤収容部を通過せずに散水口へ流れる原水流路と、水がこの原水流路から分岐し上記薬剤収容部の内部を通過して薬剤を溶出させ、上記原水流路へ合流する混合水流路とを形成し、
上記薬剤収容部がシャワー装置の外面を形成するケーシングに収容され、１つの操作部材の操作に連動して上記ケーシングに対して動くとともに上記混合水流路が開閉され、
上記ケーシングの一部に透明な表示窓を設け、内部の上記薬剤収容部を外部から視認できるようにし、
且つ、上記薬剤収容部の外面のうち、上記混合水流路を開放させたときに上記表示窓に面する部分、および上記混合水流路を閉鎖させたときに上記表示窓に面する部分に異なる表示を形成したことを特徴とするシャワー装置。
【発明の詳細な説明】
【技術分野】
【０００１】
本発明は、主に浴室などで使用され、ホース等から供給される水に薬剤を溶出させて吐出するシャワー装置に関する。
【背景技術】
【０００２】
浴室や台所、洗面所等で使用される従来のシャワー装置には、香水や保湿剤、洗剤などの薬剤を収容する薬剤収容部を具備し、ホース等から供給される原水に薬剤を溶出させて散水口から吐出するものがあった。
また、これらのシャワー装置には、薬剤を含まない原水の吐出と、薬剤を含有する混合水の吐出とを切り換えられるようにしたものもあった。
【０００３】
特許文献１には、シャワーヘッドを外筒と内筒との二重構造とし、内筒の内部に原水の通過する原水流路を形成し、外筒と内筒との間に薬剤収容部を形成し、薬剤収容部の上流に薬剤収容部への水の入口を形成し、この入口の上流に回転自在な円板状の収容部上流弁を隣接配置したものがあった。
収容部上流弁の弁孔が薬剤収容部の入口に合致するように回転させると、原水流路を流れる水の一部が薬剤収容部に流入し、薬剤を溶出させて原水流路に合流し、この混合水が吐出される。
また、この位置から収容部上流弁を回転させると、薬剤収容部の入口が収容部上流弁で塞がれ、原水が原水流路のみを通過して吐出される。
【先行技術文献】
【特許文献】
【０００４】
【特許文献１】実開平６−８１３８９号公報
【０００５】
特許文献１のシャワー装置では、薬剤収容部が下流側で原水流路に常時連通していた。
このため、原水の吐出をしているときにも、薬剤を含んだ混合水が薬剤収容部から原水流路に漏れ出し、原水の用途に混合水が使用されてしまうことがあった。
特に、香水のような香りを付加させる薬剤を使用する場合においては、薬剤の香りが原水流路から放出され、原水使用時においても薬剤収容部に通水していると使用者が勘違いする可能性があった。
【０００６】
また、特許文献１のシャワー装置では、収容部上流弁の操作部材の位置に応じて原水の吐出と混合水の吐出との切り換えを示す表示を外筒の外面に形成していた。
このため、使用者の手や他の物との摩擦によってこの表示が剥がれたりして、見えにくくなることがあった。
【発明の概要】
【発明が解決しようとする課題】
【０００７】
本発明は上記問題点を解決するためになされたものであり、薬剤を含む混合水と原水とを確実に切り換えることができるシャワー装置を提供することを課題とする。また、本発明は、混合水と原水とを安全に切り換えることができるシャワー装置を提供することも課題とする。
【課題を解決するための手段】
【０００８】
本発明において、上記課題が解決される手段は以下の通りである。
第１の発明は、薬剤を収容した薬剤収容部と、水がこの薬剤収容部を通過せずに散水口へ流れる原水流路と、水がこの原水流路から分岐し上記薬剤収容部の内部を通過して薬剤を溶出させ、上記原水流路へ合流する混合水流路とを形成するとともに、上記薬剤収容部の上流側の上記混合水流路を開閉する収容部上流弁と、上記薬剤収容部の下流側の上記混合水流路を開閉する収容部下流弁とを設け、上記収容部上流弁と上記収容部下流弁とが、１つの操作部材の動作に連動して上記混合水流路を開閉することを特徴とするシャワー装置である。
【０００９】
第２の発明は、上記操作部材が、上記収容部上流弁と上記収容部下流弁との両方が弁開である位置から上記収容部上流弁と上記収容部下流弁との両方が弁閉である位置まで移行する間に、上記収容部上流弁が弁閉であるとともに上記収容部下流弁が弁開である位置を設けたことを特徴とする。
【００１０】
第３の発明は、上記操作部材が、上記収容部上流弁が弁閉であるとともに上記収容部下流弁が弁開である位置から上記収容部上流弁と上記収容部下流弁との両方が弁閉となる位置まで移行するのに連動して、上記収容部下流弁の開放度が徐々に減少することを特徴とする。
【００１１】
第４の発明は、薬剤を収容した薬剤収容部と、水がこの薬剤収容部を通過せずに散水口へ流れる原水流路と、水がこの原水流路から分岐し上記薬剤収容部の内部を通過して薬剤を溶出させ、上記原水流路へ合流する混合水流路とを形成し、上記薬剤収容部がシャワー装置の外面を形成するケーシングに収容され、１つの操作部材の操作に連動して上記ケーシングに対して動くとともに上記混合水流路が開閉され、上記ケーシングの一部に透明な表示窓を設け、内部の上記薬剤収容部を外部から視認できるようにし、且つ、上記薬剤収容部の外面のうち、上記混合水流路を開放させたときに上記表示窓に面する部分、および上記混合水流路を閉鎖させたときに上記表示窓に面する部分に異なる表示を形成したことを特徴とする。
【発明の効果】
【００１２】
第１の発明によれば、上記収容部上流弁と上記収容部下流弁とが、１つの操作部材の動作に連動して上記混合水流路を開閉することにより、原水吐出時に混合水が薬剤収容部から漏出することがなく、使用者が１つの操作部材を操作するだけで原水吐出と混合水吐出とを確実に切り換えることができる。
【００１３】
第２の発明によれば、上記操作部材が、上記収容部上流弁と上記収容部下流弁との両方が弁開である位置から上記収容部上流弁と上記収容部下流弁との両方が弁閉である位置まで移行する間に、上記収容部上流弁が弁閉であるとともに上記収容部下流弁が弁開である位置を設けたことにより、薬剤収容部内の水が収容部下流弁から原水流路へ流出して水圧を軽減させるため、混合水流路の水流を遮断することにより薬剤収容部内の水圧が急上昇することがなく、水圧による薬剤収容部の破損を防止することができる。
【００１４】
第３の発明によれば、上記操作部材が、上記収容部上流弁が弁閉であるとともに上記収容部下流弁が弁開である位置から上記収容部上流弁と上記収容部下流弁との両方が弁閉となる位置まで移行するのに連動して、上記収容部下流弁の開放度が徐々に減少することにより、負圧を発生させるため、薬剤収容部内の混合水を流出させて、効果的に薬剤収容部内の水圧を軽減させることができる。
【００１５】
第４の発明によれば、上記薬剤収容部がシャワー装置の外面を形成するケーシングに収容され、１つの操作部材の操作に連動して上記ケーシングに対して動くとともに上記混合水流路が開閉され、上記ケーシングの一部に透明な表示窓を設け、内部の上記薬剤収容部を外部から視認できるようにし、且つ、上記薬剤収容部の外面のうち、上記混合水流路を開放させたときに上記表示窓に面する部分、および上記混合水流路を閉鎖させたときに上記表示窓に面する部分に異なる表示を形成したことにより、表示がケーシングの内部の薬剤収容部に形成されているため、使用者の手や他の物によって剥がれるおそれがない。
【図面の簡単な説明】
【００１６】
【図１】本発明の第一実施形態に係るシャワー装置の混合水吐出の位置を示す図であり、（ａ）は部分正面図、（ｂ）は縦断面図、（ｃ）はＡ−Ａ線断面図、（ｄ）はＢ−Ｂ線断面図である。
【図２】同シャワー装置の中間位置を示す図であり、（ａ）は部分正面図、（ｂ）は縦断面図、（ｃ）はＣ−Ｃ線断面図である。
【図３】同シャワー装置の原水吐出の位置を示す図であり、（ａ）は部分正面図、（ｂ）は縦断面図、（ｃ）はＤ−Ｄ線断面図である。
【図４】同シャワー装置の流路切換弁を示す上方分解斜視図である。
【図５】同シャワー装置の流路切換弁を示す下方分解斜視図である。
【図６】同流路切換弁の切り換え状態を示す説明図であり、（ａ）は混合水吐出の位置、（ｂ）は中間位置、（ｃ）は原水吐出の位置を示す。
【図７】本発明の第二実施形態に係るシャワー装置の混合水吐出の位置を示す図であり、（ａ）は縦断面図、（ｂ）は部分側方図、（ｃ）はＥ−Ｅ線断面図、（ｄ）はＦ−Ｆ線断面図である。
【図８】同シャワー装置の中間位置を示す図であり、（ａ）は縦断面図、（ｂ）は部分側方図、（ｃ）はＧ−Ｇ線断面図である。
【図９】同シャワー装置の原水吐出の位置を示す図であり、（ａ）は縦断面図、（ｂ）は部分側方図、（ｃ）はＨ−Ｈ線断面図である。
【図１０】同シャワー装置の流路切換弁を示す分解斜視図である。
【発明を実施するための形態】
【００１７】
以下、本発明の第一実施形態に係るシャワー装置について説明する。
このシャワー装置は、ホース等を介して供給される水（原水）をそのまま散水口から吐出することができ、また、原水に薬剤を溶出させた混合水を散水口から吐出することもできる。
本明細書における水（原水）には、湯、低温の水、湯と水を混合したものを含む。
また、薬剤とは、香料、香水、保湿剤、洗剤、浄化剤、消毒剤その他の水に一定割合で希釈あるいは徐放して用いるあらゆる薬品を含み、固形物、液体、ゲル状物質のいずれをも含む。
また、このシャワー装置は、浴室、台所、洗面所その他のあらゆる用途に用いることができる。この中でも、浴室用シャワーヘッドに用いることが好ましい。理由は、入浴時に薬剤混合、徐放を用いることが多いためである。シャワーヘッドの形態としては、一般的なシャワーヘッドでもよく、薬剤収容部の下流側に止水と吐水とを切り換える止水弁を設けたシャワーヘッドでもよい。
【００１８】
図１（ｂ）に示すように、このシャワー装置１は、水の取り入れ口２を有してホース等を接続する基端コネクタ３と、この基端コネクタ３の下流側に接続され、使用者が把持できる形状の外筒４と、この外筒４の下流に接続されて止水弁および散水口５を設けたヘッド部６とを有する。
【００１９】
外筒４とヘッド部６とはネジ結合によって着脱自在に取り付けられている。
外筒４の内部には、薬剤を収容できる略筒状の薬剤収容部７が内蔵されており、薬剤を使い切った時には外筒４とヘッド部６とを分解して薬剤収容部７を新品に交換することができる。
これにより、シャワー装置１の内部には、流入した水が外筒４と薬剤収容部７との間を通過してヘッド部６の散水口５から吐出される原水流路８と、水の一部が原水流路８から分岐し、薬剤収容部７の内部を通過しながら薬剤を溶出させて、外筒４の下流端付近で原水流路８に合流する混合水流路９とが形成される。
【００２０】
シャワー装置１は、水が原水流路８のみを流れる原水吐出と、水の一部が原水流路８を流れ残部が混合水流路９を流れる混合水吐出とを切り換えるために、流路切換弁を具備している。
この切換弁は、薬剤収容部７の上流側の混合水流路を開閉する収容部上流弁と、薬剤収容部７の下流側の混合水流路を開閉する収容部下流弁と、収容部上流弁および収容部下流弁を操作することができる１つの操作リング１０を有している。
【００２１】
図１（ｂ）に示すように、収容部上流弁は、薬剤収容部７の上流端に設けられた弁座１１と、この弁座１１に水密に当接することができるパッキン１２と、弁座１１から突出形成されたスペーサ１３と、パッキン１２に一体に取り付けられてスペーサ１３に当接するスペーサ受け１４と、スペーサ１３およびパッキン１２を弁座へ付勢するコイルスプリング１５とからなる。
【００２２】
図５に示すように、弁座１１は、薬剤収容部７の上流端（下端）に形成された筒状の部分で、中央に薬剤収容部７の内部に連通する入口を穿設している。
弁座１１の周囲からは、２つの三角形状のスペーサ１３が上流に向かって突出形成されている。
【００２３】
図１（ｂ）に示すように、パッキン１２は弁座１１の入口よりも大径に形成されるとともに弁座１１の上流に配置され、弁座１１に押し付けられると入口を塞ぐことができる。
また、パッキン１２の上流側には、弾性変形によってスペーサ受け１４に取り付けられる装着部分が形成されている。
【００２４】
図４、図５に示すように、スペーサ受け１４は、中央にパッキン１２を装着する孔を有する円板から下流側に円筒を延出した形状に形成されている。
スペーサ１３に当接するスペーサ受け１４の下流端面は、２つの山状部分と谷状部分とが急な斜めの段差で連続した形状に形成されている。円筒の周における山状部分の割合は、谷状部分に比べてかなり小さい。
また、スペーサ受け１４は、基端コネクタ３から所定距離離間すると基端コネクタ３に係止して離間を制限する３つの鉤状部１６を上流側に突出形成している。
【００２５】
図１（ｂ）に示すように、コイルスプリング１５は、基端コネクタ３の一部と、スペーサ受け１４とに当接して、スペーサ受け１４およびパッキン１２を弁座１１へ付勢する。
【００２６】
図１（ｂ）に示すように、収容部下流弁は、薬剤収容部の下流端に設けられた弁座１７と、この弁座１７に水密に当接することができるパッキン１８と、弁座１７から突出形成されたスペーサ１９と、パッキン１８に一体に取り付けられてスペーサ１９に当接するスペーサ受け２０と、スペーサ受け２０およびパッキン１８を弁座１７へ付勢するコイルスプリング２１とからなる。
【００２７】
図４に示すように、弁座１７は、薬剤収容部７の下流端（上端）に形成された筒状の部分で、中央に薬剤収容部７の内部に連通する出口を穿設している。
弁座１７の周囲からは、２つの三角形状のスペーサ１９が下流に向かって突出形成されている。
さらに弁座１７の周囲には、周上等間隔に４つの板材２２を配置して、板材２２の間に混合水が原水流路８に合流するための流路を形成している。
【００２８】
図１（ｂ）に示すように、パッキン１８は弁座１７の出口よりも大径に形成されるとともに弁座１７の下流に配置され、弁座１７に押し付けられると出口を塞ぐことができる。
また、パッキン１８の下流側には、弾性変形によってスペーサ受け２０に取り付けられる装着部分が形成されている。
【００２９】
図５に示すように、スペーサ受け２０は、中央にパッキン１８を装着する孔を有する円板から上流側に円筒を延出した形状に形成されている。
スペーサ１９に当接するスペーサ受け２０の上流端面は、各２つの山状部分と谷状部分とが緩やかな湾曲形状で連続した形状に形成されている。
また、スペーサ受け２０は、ヘッド部６から所定距離離間するとヘッド部６に係止して離間を制限する３つの鉤状部分２３を下流側に突出形成している。
【００３０】
図１（ｂ）に示すように、コイルスプリング２１は、ヘッド部６の一部と、スペーサ受け２０とに当接して、スペーサ受け２０およびパッキン１８を弁座１７へ付勢する。
【００３１】
図１（ｃ）、図３（ｂ）に示すように、外筒４の上流側では、図に示すように、外部に露出した操作リング１０がピン２４と回転不能に固定され、このピン２４が外筒４内部の中継筒体２５に回転不能に取り付けられることにより、操作リング１０と中継筒体２５とが一体になって外筒４に対して回転するようになっている。
外筒４にはピン２４を貫通させるピンガイド２６が周方向に延設されており、操作リング１０の回転可能範囲はこのピンガイド２６の範囲によって制限されている。
【００３２】
さらに、図１（ｄ）に示すように、中継筒体２５の下流側端部が薬剤収容部７の一部に挟まれて、回転不能に取り付けられているため、操作リング１０と薬剤収容部７とも一体になって回転するようになっている。
中継筒体２５と薬剤収容部７とがこのように取り付けられることにより、薬剤収容部７を交換しても必ず決まった角度位置で中継筒体２５に取り付けることができる。
【００３３】
このシャワー装置１において、図１に示す操作リング１０の回転可能範囲の一端では、混合水吐出となる。
このとき、収容部上流弁では、図６（ａ）に示すように、スペーサ１３がスペーサ受け１４の山状部分に当接することにより、コイルスプリング１５の付勢力に反してパッキン１２が弁座１１から離間され、原水流路８の水の一部が入口から薬剤収容部７に流入することができる。
また、収容部下流弁でも、スペーサ１９がスペーサ受け２０の山状部分に当接することにより、コイルスプリング２１の付勢力に反してパッキン１８が弁座１７から離間され、薬剤収容部７内の水が出口から原水流路８に合流することができる。
【００３４】
シャワー装置１の内部では、取り入れ口２から供給された水が原水流路８を通過するとともに、原水流路８の水の一部が混合水流路９に分岐して、薬剤を溶出させる。このため、ヘッド部６の散水口５からは、薬剤を含有する混合水が吐出される。
【００３５】
操作リング１０および薬剤収容部７を混合水吐出の位置から少し回転させると、図２に示す中間位置となる。
このとき、収容部上流弁では、図６（ｂ）に示すように、スペーサ１３がスペーサ受け１４の急な段差を通過して谷状部分に当接するため、コイルスプリング１５の付勢力によってパッキン１２が弁座１１に押し付けられ、薬剤収容部７の入口が塞がれる。
収容部下流弁では、スペーサ１９がスペーサ受け２０の山状部分から谷状部分へと連続する緩やかな湾曲面に当接するため、出口はパッキン１８によって塞がれないが、コイルスプリング２１の付勢力によってパッキン１８が弁座１７に徐々に近づき、薬剤収容部７の出口から原水流路８に合流する流路が徐々に狭くなっていく。
【００３６】
シャワー装置１の内部では、原水流路８の水が入口から薬剤収容部７に流入することはできないが、薬剤収容部７内の水は出口から原水流路８に合流することができる。このため、ヘッド部６の散水口５からは、微量の薬剤を含有する混合水が吐出される。
【００３７】
操作リング１０および薬剤収容部７をこの中間位置から回転可能範囲の反対端まで回動させると、図３に示す原水吐出となる。
このとき、収容部上流弁では、図６（ｃ）に示すように、スペーサ１３がスペーサ受け１４の谷状部分に当接しているため、薬剤収容部７の入口がパッキン１２によって塞がれている。
収容部下流弁では、スペーサ１９がスペーサ受け２０の谷状部分に当接するため、コイルスプリング２１の付勢力によってパッキン１８が弁座１７に押し付けられ、薬剤収容部７の出口が塞がれる。
【００３８】
シャワー装置１の内部では、混合水流路９が閉鎖され、水が薬剤収容部７の外周の原水流路８のみを流れるため、ヘッド部６の散水口５からは、薬剤を含有しない原水が吐出される。
【００３９】
操作リング１０および薬剤収容部７を原水吐出の位置から混合水吐出の位置まで逆回転させると、収容部上流弁ではスペーサ１３がスペーサ受け１４の斜めの段差に沿って山状部分に到達し、コイルスプリング１５の付勢力に反してパッキン１２が弁座１１から離間させられる。
収容部下流弁でもスペーサ１９がスペーサ受け２０の緩やかな湾曲形状に沿って山状部分に到達するため、コイルスプリング２１の付勢力に反してパッキン１８が弁座１７から離間させられる。
したがって、ヘッド部６の散水口５からは、薬剤を含有する混合水が吐出される。
【００４０】
第一実施形態のシャワー装置１では、図６（ａ）（ｃ）に示すように、収容部上流弁と収容部下流弁とが、１つの操作部材である操作リング１０の回転動作に連動して混合水流路９を開閉することにより、原水吐出時に混合水が薬剤収容部７から漏出することがなく、使用者が１つの操作リング１０を操作するだけで原水吐出と混合水吐出とを確実に切り換えることができる。
また、原水吐出時に混合水が薬剤収容部７から漏出することがないため、薬剤の無駄な消費を防止して薬剤収容部７の交換寿命を長期化することができる。
【００４１】
また、図６（ｂ）に示すように、流路切換弁を混合水吐出の位置から原水吐出の位置まで移行する間に、収容部上流弁が弁閉であり収容部下流弁が弁開である中間位置を設けたことにより、薬剤収容部７内の水が収容部下流弁から原水流路８へ流出して水圧を軽減させるため、混合水流路９の水流を遮断することにより薬剤収容部７内の水圧が急上昇することがなく、水圧による薬剤収容部７の破損を防止することができる。
さらに、薬剤収容部７内の水圧が急上昇しないため、混合水吐出から原水吐出への切り換え操作に必要な力を小さくすることができる。
【００４２】
また、流路切換弁の操作リング１０を混合水吐出の位置から原水吐出の位置まで移行するのに連動して、収容部下流弁の開放度が徐々に減少するようにしたことにより、負圧を発生させるため、薬剤収容部７内の混合水を流出させて、効果的に薬剤収容部７内の水圧を軽減させることができる。
また、収容部下流弁でもスペーサ１９がスペーサ受け２０の緩やかな湾曲形状に沿って移動し、パッキン１８を徐々に上げ下げするため、収容部下流弁を操作するのに必要な力を小さくすることができる。
【００４３】
図１（ｂ）に示すように、ヘッド部６には、使用者が水の吐出と停止とを切り換えることができる止水弁を設けている。
この止水弁は、ヘッド部６の流路中に配置された弁軸２７と、弁軸２７に取り付けられてシャワー装置１の背部側に露出した吐水ボタン２８と、弁軸２７に取り付けられてシャワー装置１の腹部側に露出した止水ボタン２９とからなる。
【００４４】
弁軸２７は、ヘッド部６の流路と平行な弁軸流路３０を穿設されており、背部腹部方向に移動可能にヘッド部６に収容されている。
背部の吐水ボタン２８を押し込むと、弁軸２７の弁軸流路３０がヘッド部６の流路に合致して、原水または混合水を散水口５から吐出することができる。
腹部の止水ボタン２９を押し込むと、ヘッド部６の流路が弁軸２７によって塞がれ、散水口５からの吐出を停止することができる。
【００４５】
このような止水弁を設けたことにより、使用者が手元で容易に水の吐出と停止とを切り換えることができる。
また、流路切換弁の下流に止水弁を設けたことにより、万が一薬剤収容部７や流路切換弁が破損して、混合水が常時下流に漏れ出すようになっても、止水ボタン２９を押し込んで吐出を停止することによって、混合水の匂いが外部に漏れることを防止することができる。
【００４６】
止水ボタン２９を押し込んで吐出を停止すると、止水弁の上流では水撃が生じることがある。
しかし、原水吐出のときには、中継筒体２５と鉤状部分２３が係止されるヘッド部６の一部とによって薬剤収容部７の上流下流方向の動きが制限されるとともに、コイルスプリング１５がパッキン１２を弁座１１に押圧し、コイルスプリング２１がパッキン１８を弁座１７に押圧しているので、水撃によって薬剤収容部７の閉鎖状態が損なわれるのを防止することができる。
【００４７】
図１から図３に示すように、このシャワー装置１には、使用者が原水吐出と混合水吐出との切り換えを視認することができるように表示機構を設けている。
この表示機構は、シャワー装置１の外面を形成するケーシングの一部である外筒４に形成した表示窓３１と、薬剤収容部７の外面に形成した２つの表示３２ａ、３２ｂとからなる。
【００４８】
表示窓３１は、外筒４の周面に形成した開口に樹脂等からなる透明な板材を嵌め込み、接着剤による接着や超音波溶着等の溶着で固定して形成される。
図４、図５に示すように、薬剤収容部７の外面のうち、混合水吐出の位置で表示窓３１に面する部分には、円形の突起や「混合水」の文字等の混合水表示３２ａを形成している。
また、薬剤収容部７の外面のうち、原水吐出の位置で表示窓３１に面する部分には四角形の突起や「原水」の文字等の原水表示３２ｂを形成している。
なお、表示３２ａ、３２ｂには、突起、刻印、印刷その他のあらゆる表示を採用してよい。
【００４９】
これにより、混合水吐出の位置では使用者が表示窓３１から混合水表示３２ａを視認し（図１（ａ））、原水吐出の位置では使用者が表示窓３１から原水表示３２ｂを視認して（図３（ａ））、混合水と原水との切り換えを把握することができる。
また、表示３２ａ、３２ｂがシャワー装置１の内部の薬剤収容部７に形成されているため、使用者の手や他の物によって剥がれるおそれがない。
さらに、表示３２ａ、３２ｂが原水流路８中に配置されているため、原水の流れによって自動的に洗浄し、汚れを付着しにくくすることができる。
【００５０】
また、交換部品である薬剤収容部７に表示を設けたことにより、表示３２ａ、３２ｂの初期不良や後発的な破損があっても、薬剤収容部７を交換することにより比較的容易に且つ低コストで適切な表示機構に交換することができる。
さらに、交換部品である薬剤収容部７に表示を設けたことにより、薬剤収容部７の薬剤の種類に応じて、異なる混合水表示３２ａを設けることができる。
たとえば、オレンジの芳香剤を収容した薬剤収容部７の混合水表示３２ａには「オレンジ」の文字等を形成し、レモンの芳香剤を収容した薬剤収容部７の混合水表示３２ａには「レモン」の文字等を形成して、区別できるようにする。
これにより、混合水による効果をより詳細に使用者に知らせることができる。
【００５１】
なお、第一実施形態では、混合水吐出時にも水の一部が原水流路８（薬剤収容部７の外周）を通過するが、混合水吐出時には薬剤収容部７の外周の流路が閉鎖され、水が薬剤収容部７の内部のみを通過する構造としてもよい。
【００５２】
また、薬剤収容部７は薬剤を使い切った後に新品と交換するカートリッジとして形成されているが、空になった薬剤収容部７に薬剤を補充して再度使用する非交換部品としてもよい。
【００５３】
＜第二実施形態＞
第二実施形態のシャワー装置１では、第一実施形態と異なる構成の流路切換弁を設けている。
図７（ａ）に示すように、収容部上流弁は、基端コネクタ３に固定され外筒４の内部に配置された弁座３３と、この弁座３３に水密に当接することができるパッキン３４と、パッキン３４を弁座３３へ付勢するコイルスプリング３５と、薬剤収容部７から上流に突出形成されたスペーサ３６とからなる。
【００５４】
弁座３３は、薬剤収容部７の上流の原水流路８中に配置される部品であって、中央に弁座流路を穿設している。
パッキン３４は弁座３３の入口よりも大径に形成されるとともに弁座３３の上流に配置され、弁座３３に押し付けられると弁座流路を塞ぐことができる。
コイルスプリング３５は、基端コネクタ３の一部と、パッキン３４とに当接して、パッキン３４を弁座３３へ付勢する。
【００５５】
図１０に示すように、スペーサ３６は、薬剤収容部７から上流に突出形成された筒形状の部分で、弁座流路よりも細いため、弁座流路を通ってパッキン３４を押すことができる。
スペーサ３６の内部は、薬剤収容部７の内部に連通している。
スペーサ３６の先端付近には、薬剤収容部７への入口となる複数の切り欠きが形成されている。
【００５６】
図７（ａ）に示すように、収容部下流弁は、薬剤収容部７の下流端に設けられた弁座３７と、この弁座３７に水密に当接することができるパッキン３８と、パッキン３８に一体に取り付けられるスペーサ３９と、スペーサ３９およびパッキン３８を弁座へ付勢するコイルスプリング４０とからなる。
【００５７】
図１０に示すように、弁座３７は、薬剤収容部７の下流端（上端）に形成された筒状の部分で、中央に薬剤収容部７の内部に連通する出口を穿設している。
弁座３７の周端では、スペーサ３９の凸部に合致する三角形状のスペーサ受け溝４１が周上２箇所に凹設されている。
【００５８】
図７（ａ）に示すように、パッキン３８は弁座３７の出口よりも大径に形成されるとともに弁座３７の下流に配置され、弁座３７に押し付けられると出口を塞ぐことができる。
また、パッキン３８の下流側には、弾性変形によってスペーサ３９に取り付けられる装着部分が形成されている。
【００５９】
図１０に示すように、スペーサ３９は、中央にパッキン３８を装着する孔を有する円板から上流側に円筒を延出した形状に形成されている。
スペーサ３９の上流端面からは、スペーサ受け溝４１に合致する三角形状の凸部が上流に向かって突出形成されている。
また、スペーサ３９は、ヘッド部６から所定距離離間するとヘッド部６に係止して離間を制限する３つの鉤状部分４２を下流側に突出形成している。スペーサ３９は、ヘッド部６に対して回転しないように固定されている。
【００６０】
図７（ａ）に示すように、コイルスプリング４０は、ヘッド部６の一部と、スペーサ３９とに当接して、スペーサ３９およびパッキン３８を弁座３７へ付勢する。
【００６１】
外筒４の上流側では、図７（ａ）に示すように、外部に露出した操作リング１０が外筒４に対して回転可能に取り付けられている。
図７（ｂ）（ｃ）に示すように、操作リング１０は、ピン２４と回転不能に取り付けられている。このピン２４は、外筒４の周方向に延設された第一ピンガイド４３を貫通し、外筒４内部の中継筒体２５の外周面に斜めに刻設された第二ピンガイド４４に係合している。
操作リング１０を外筒４に対して回転させると、ピン２４が第一ピンガイド４３および第二ピンガイド４４をスライドする（図７（ｂ）、図８（ｂ）、図９（ｂ））。操作リング１０の回転可能範囲は、第一ピンガイド４３の範囲によって制限されている。
【００６２】
操作リング１０と中継筒体２５とは互いに回転することができ、中継筒体２５と外筒４とも互いに回転することができる。
また、図７（ｄ）に示すように、中継筒体２５の上流側端部が薬剤収容部７の一部に挟まれて、回転不能に取り付けられているため、操作リング１０と薬剤収容部７とも一体になって回転するようになっている。
中継筒体２５と薬剤収容部７とがこのように取り付けられることにより、薬剤収容部７を交換しても必ず決まった角度位置で中継筒体２５に取り付けることができる。
【００６３】
このシャワー装置１においても、図７に示す操作リング１０の回転可能範囲の一端では、混合水吐出となる。
このとき、収容部上流弁では、コイルスプリング３５の付勢力に反してスペーサ３６がパッキン３４を押し下げ、パッキン３４が弁座３３から離間され、原水流路８の水の一部がスペーサ３９の切り欠きから薬剤収容部７に流入することができる。
また、収容部下流弁でも、スペーサ３９が弁座３７のスペーサ受け溝４１以外の部分に当接することにより、コイルスプリング３５の付勢力に反してパッキン３４が弁座３３から離間され、薬剤収容部７内の水が出口から原水流路８に合流することができる。
このとき、ピン２４は、斜めに形成された第二ピンガイド４４の上端に位置している（図７（ｂ））。
【００６４】
シャワー装置１の内部では、取り入れ口２から供給された水が原水流路８を通過するとともに、原水流路８の水の一部が分岐して薬剤収容部７に流入し、薬剤を溶出させて、原水流路８に合流する。このため、ヘッド部６の散水口５からは、薬剤を含有する混合水が吐出される。
【００６５】
操作リング１０および薬剤収容部７を混合水吐出の位置から少し回転させると、図８に示す中間位置となる。
中間位置ではピン２４が第一ピンガイド４３および第二ピンガイド４４をスライドするが、第一ピンガイド４３が周方向に延設されているのに対し、第二ピンガイド４４は周方向に対して斜めに延設されている。このため、ピン２４が第二ピンガイド４４を下方にスライドすると、中継筒体２５および薬剤収容部７が、外筒４および操作リング１０に対して徐々に上方（下流側）に移動する（図８（ｂ））。
【００６６】
収容部上流弁では、スペーサ３６が徐々に上方に移動することにより、パッキン３４が徐々に弁座３３に近づいて、原水流路８から薬剤収容部７に流入する流路が徐々に狭くなっていき、最終的には弁座３３がパッキン３４によって塞がれる。
収容部下流弁では、スペーサ３９が弁座３７のスペーサ受け溝４１以外の部分に当接し続けているため、コイルスプリング４０の付勢力に反してパッキン３８が弁座３７から離間され続けている。
【００６７】
シャワー装置１の内部では、原水流路８の水が薬剤収容部７に入口から流入することはできないが、薬剤収容部７内の水は出口から原水流路８に合流することができる。このため、ヘッド部６の散水口５からは、微量の薬剤を含有する混合水が吐出される。
【００６８】
操作リング１０をこの中間位置から回転可能範囲の反対端まで回動させると、図９に示す原水吐出となる。
中間位置でピン２４は第二ピンガイド４４の下端に到達している（図８（ｂ））ため、中間位置から原水吐出の位置まで操作リング１０を回転させる間は、ピン２４が第一ピンガイド４３をスライドし、中継筒体２５および薬剤収容部７が操作リング１０と一体になって外筒４（シャワー装置１）に対して回転する。
【００６９】
原水吐出の位置において、収容部上流弁では、弁座３３がパッキン３４によって塞がれている。
収容部下流弁では、スペーサ３９が回転によって弁座３７のスペーサ受け溝４１に合致し、コイルスプリング４０の付勢力によってパッキン３８が弁座３７に押し付けられ、薬剤収容部７の出口が塞がれる。
【００７０】
シャワー装置１の内部では、水が薬剤収容部７の外周の原水流路８のみを流れ、ヘッド部の散水口からは、薬剤を含有しない原水が吐出される。
【００７１】
操作リング１０および薬剤収容部７を原水吐出の位置から混合水吐出の位置まで逆回転させると、ピン２４が第一ピンガイド４３および第二ピンガイド４４を逆向きにスライドすることにより、中継筒体２５および薬剤収容部７を下方（上流側）へ移動させるため、収容部上流弁ではスペーサ３６がコイルスプリング３５の付勢力に反してパッキン３４を弁座３３から離間させる。
収容部下流弁ではスペーサ３９が弁座３７に対して回転しスペーサ受け溝４１からずれて、コイルスプリング４０の付勢力に反してパッキン３８が弁座３７から離間させられる。
したがって、ヘッド部６の散水口５からは、薬剤を含有する混合水が吐出される。
【００７２】
第二実施形態のシャワー装置１でも、図８（ａ）に示すように、流路切換弁を混合水吐出の位置から原水吐出の位置まで移行する間に、収容部上流弁を閉鎖させて収容部下流弁を開放させる位置を設けたことにより、薬剤収容部７内の水が収容部下流弁から原水流路８へ流出して水圧を軽減させるため、混合水流路９の水流を遮断することにより薬剤収容部内７の水圧が急上昇することがなく、水圧による薬剤収容部７の破損を防止することができる。
さらに、薬剤収容部７内の水圧が急上昇しないため、混合水吐出から原水吐出への切り換え操作に必要な力を小さくすることができる。
【００７３】
また、第二実施形態で混合水吐出から原水吐出へ切り換えると、薬剤収容部７が外筒４に対して回転するとともに上下方向に移動するため、図１０に示すように、混合水表示３２ａと原水表示３２ｂとを互いに斜めに配置している。
これにより、混合水吐出時には混合水表示３２ａが表示窓３１に面し（図７（ａ））、原水吐出時には原水表示３２ｂが表示窓３１に面する（図９（ａ））。
【符号の説明】
【００７４】
１  シャワー装置
２  取り入れ口
３  基端コネクタ
４  外筒
５  散水口
６  ヘッド部
７  薬剤収容部
８  原水流路
９  混合水流路
１０  操作リング
１１  弁座（収容部上流弁）
１２  パッキン（収容部上流弁）
１３  スペーサ（収容部上流弁）
１４  スペーサ受け（収容部上流弁）
１５  コイルスプリング（収容部上流弁）
１６  鉤状部分（収容部上流弁）
１７  弁座（収容部下流弁）
１８  パッキン（収容部下流弁）
１９  スペーサ（収容部下流弁）
２０  スペーサ受け（収容部下流弁）
２１  コイルスプリング（収容部下流弁）
２２  板材
２３  鉤状部分（収容部下流弁）
２４  ピン
２５  中継筒体
２６  ピンガイド
２７  弁軸
２８  吐水ボタン
２９  止水ボタン
３０  弁軸流路
３１  表示窓
３２ａ  （混合水）表示
３２ｂ  （原水）表示
３３  弁座（収容部上流弁）
３４  パッキン（収容部上流弁）
３５  コイルスプリング（収容部上流弁）
３６  スペーサ（収容部上流弁）
３７  弁座（収容部下流弁）
３８  パッキン（収容部下流弁）
３９  スペーサ（収容部下流弁）
４０  コイルスプリング（収容部下流弁）
４１  スペーサ受け溝（収容部下流弁）
４２  鉤状部分
４３  第一ピンガイド
４４  第二ピンガイド
【図１】
2014188041.tif 000003
【図２】
2014188041.tif 000004
【図３】
2014188041.tif 000005
【図４】
2014188041.tif 000006
【図５】
2014188041.tif 000007
【図６】
2014188041.tif 000008
【図７】
2014188041.tif 000009
【図８】
2014188041.tif 000010
【図９】
2014188041.tif 000011
【図１０】
2014188041.tif 000012